(57)【要約】      （修正有）【課題】  外出先でテレビ放送が受信でき、お勧めの放送内容を他人に知らせる、他人より知らせがあれば、その放送を視聴できる携帯端末装置を提供する。【解決手段】  テレビ受信部１で受信した放送内容を選択し、しおり付与手段と、付与されたしおりを他の装置に送信するとともに、他の装置より送信されたしおりを受信する無線送受信部２と、無線送受信部２によって他の装置よりしおりを受信したとき、そのしおりを基にそのしおりに対応する放送内容をテレビ受信部１によって受信可能にする制御部１１とを備えたものであり、テレビ受信部１でテレビ放送を受信している間に、お勧めの放送内容など任意の放送内容があった場合、それにしおりをつけ、そのしおりを友達などが所有する他の装置に送信することで、友達などが保有する他の装置で、そのしおりを受信できる。【選択図】  図１
2005184182.tif 000002
【特許請求の範囲】
【請求項１】
テレビ放送を受信するテレビ受信手段と、前記テレビ受信手段で受信した任意の放送内容を選択し、しおりを付与するしおり付与手段と、付与されたしおりを他の装置に送信する送信手段と、他の装置より送信されたしおりを受信する受信手段と、前記受信手段によって前記他の装置よりしおりが受信されたとき、そのしおりを基にそのしおりに対応する放送内容を前記テレビ受信手段によって受信可能とする手段とを備えたことを特徴とする携帯端末装置。
【請求項２】
テレビ放送を受信するテレビ受信手段と、前記テレビ受信手段で受信した任意の放送内容を選択し、しおりを付与するしおり付与手段と、付与されたしおりを記憶する第１の記憶手段と、記憶されたしおりを他の装置に送信する送信手段と、他の装置より送信されたしおりを受信する受信手段と、受信したしおりを記憶する第２の記憶手段と、前記第２の記憶手段に記憶されたしおりを基にそのしおりに対応する放送内容を前記テレビ受信手段によって受信可能とする手段とを備えたことを特徴とする携帯端末装置。
【請求項３】
前記しおりは、前記放送内容の放送時刻、チャンネルを含むものであることを特徴とする請求項１又は２記載の携帯端末装置。
【請求項４】
前記しおりは、前記放送内容の放送時刻、チャンネルのほかに、前記放送内容の放送曜日、表題、嗜好、コメントなどの少なくとも１つを含むものであることを特徴とする請求項３記載の携帯端末装置。
【請求項５】
第２の記憶手段に記憶されたしおりをテレビ受信記録再生装置に送信する送信手段を有し、テレビ受信記録再生装置において前記しおりを受信したとき、そのしおりを基にそのしおりに対応するテレビ番組を再生視聴できるように構成したことを特徴とする請求項２〜４のいずれか１項記載の携帯端末装置。
【発明の詳細な説明】
【技術分野】
【０００１】
本発明は、テレビ放送を受信可能な携帯端末装置に関する。
【背景技術】
【０００２】
従来、携帯電話機などの携帯端末装置では、電話機能に加え、電子メールやインタネット、その他、多くの機能が備え付けられている。特に、最近では、カメラを付加したり、テレビを視聴したりできるように構成したものも多く考えられている。
【０００３】
一方、テレビ放送を記録したり、再生したりする家庭用のＤＶＤレコーダでは、任意の位置にしおりを付加し、そのしおりを基に、ＤＶＤレコーダに記録されたテレビ放送の内容を任意に検索、再生するものも知られている（特許文献１参照）。
【０００４】
このＤＶＤレコーダによれば、しおり機能により、ユーザの視聴動作を補助することができ、ユーザは効率よく、所定の番組を所定の位置から視聴できる。前回、途中まで視聴した番組にしおりを付加しておけば、次回続けて視聴したい場合に、そのしおりを基にその番組を容易に続けて視聴することができる。重要なシーンにしおりを付加しておけば、後からもう一度視聴したい場合に、容易にそのシーンを見つけ出し、視聴することができる。などの種々の効果を発揮することができる。
【０００５】
【特許文献１】特開２００２−４４５８６号公報（第２頁、図２）
【発明の開示】
【発明が解決しようとする課題】
【０００６】
しかしながら、従来知られている特許文献１記載のＤＶＤレコーダは、あくまでも、ＤＶＤレコーダにしおりリストを用意しておき、そこにしおりを登録し、そのしおりを使用するように構成しただけのものであり、しおりを他の装置に送信し、それを利用するということはできないものであった。
【０００７】
本発明は、以上のような従来の問題に鑑みてなされたものであり、外出先でもテレビ放送が受信でき、受信した放送内容の中にお勧めの放送内容、シーンなどがあれば、それを他人に容易に知らせてあげることができ、他人より知らせがあれば、その放送内容を容易に視聴できる携帯端末装置を提供するものである。
【課題を解決するための手段】
【０００８】
本発明の携帯端末装置は、テレビ放送を受信するテレビ受信手段と、前記テレビ受信手段で受信した任意の放送内容を選択し、しおりを付与するしおり付与手段と、付与されたしおりを他の装置に送信する送信手段と、他の装置より送信されたしおりを受信する受信手段と、前記受信手段によって前記他の装置よりしおりが受信されたとき、そのしおりを基にそのしおりに対応する放送内容を前記テレビ受信手段によって受信可能とする手段とを備えた構成を有する。
【０００９】
この構成により、テレビ受信手段でテレビ放送を受信している間に、お勧めの放送内容など任意の放送内容があったとき、それにしおりをつけ、そのしおりを友達などが所有する他の装置に送信することができ、友達などが同じ他の装置を用いていれば、その装置において、そのしおりを受信し、そのしおりに対応する上記お勧めの放送内容などを容易に受信させてあげることができるという作用を有する。
【００１０】
また、本発明の携帯端末装置は、テレビ放送を受信するテレビ受信手段と、前記テレビ受信手段で受信した任意の放送内容を選択し、しおりを付与するしおり付与手段と、付与されたしおりを記憶する第１の記憶手段と、記憶されたしおりを他の装置に送信する送信手段と、他の装置より送信されたしおりを受信する受信手段と、受信したしおりを記憶する第２の記憶手段と、前記第２の記憶手段に記憶されたしおりを基にそのしおりに対応する放送内容を前記テレビ受信手段によって受信可能とする手段とを備えた構成を有する。
【００１１】
この構成により、テレビ受信手段でテレビ放送を受信している間に、お勧めの放送内容など任意の放送内容があったとき、それにしおりをつけ、それを記憶手段に一旦記憶しておき、その後、そのしおりを記憶手段より読み出して、友達などが所有する他の装置に送信することができ、友達などが同じ他の装置を用いていれば、その装置において、そのしおりを受信し、そのしおりを一旦記憶手段に記憶し、任意に読み出して、そのしおりに対応する上記お勧めの放送内容などを受信させてあげることができるという作用を有する。
【００１２】
また、本発明の携帯端末装置は、前記しおりは、前記放送内容の放送時刻、チャンネルを含む構成を有している。
【００１３】
この構成により、放送時刻、チャンネルをしおりとして他の装置に送信することができ、同じ放送時刻、チャンネルの放送を容易に選択受信することができる。
【００１４】
また、本発明の携帯端末装置は、前記しおりは、前記放送内容の放送時刻、チャンネルのほかに、前記放送内容の放送曜日、表題、嗜好、コメントなどの少なくとも１つを含む構成を有している。
【００１５】
この構成により、例えば、同じ放送番組は、週毎に編成されていることが多いため、曜日の情報、表題、コメントなどの情報を基に次の週から、改めて正確に視聴することができるという作用を有する。
【００１６】
また、本発明の携帯端末装置は、第２の記憶手段に記憶されたしおりをテレビ受信記録再生装置に送信する送信手段を有し、テレビ受信記録再生装置において前記しおりを受信したとき、そのしおりを基にそのしおりに対応するテレビ番組を再生視聴できる構成を有する。
【００１７】
この構成により、友人からお勧めの番組などのしおりを受信し、それを第２の記憶種暖衣記憶しておけば、その後、その記憶したしおりをテレビ受信記録再生装置に送信し、テレビ受信記録再生装置において、予め記録した多くのテレビ番組の中から先に受信したしおりを基に、そのしおりに対応するテレビ番組を再生して視聴することができ、友人のお勧めの番組を容易に正確にテレビ受信記録再生装置で再生、視聴することができると言う作用を有する。
【発明の効果】
【００１８】
本発明は、外出先でもテレビ放送が受信でき、受信した放送内容の中にお勧めの放送内容、シーンなどがあれば、それを他人に容易に知らせてあげることができ、他人より知らせがあれば、その放送内容を容易に視聴できるという効果を有する。
【発明を実施するための最良の形態】
【００１９】
以下、本発明の最良の実施の形態について説明する。
図１は、本発明の一実施の形態における携帯端末装置の構成を示す概略ブロック図である。
【００２０】
本発明の一実施の形態における携帯端末装置は、図１に示すように、テレビ放送を受信するテレビ受信部１と、電話や電子メール、インターネットなどへの接続のための無線送受信部２と、別に設けたＶＴＲ、ＤＶＤレコーダなどのテレビ受信記録再生装置（図示せず）に対し、しおりを送信するための近距離送信部１２と、マイク３、レシーバ４に接続された電話通話のための音声入出力部５と、電話の呼出しや、テレビの音声出力に使用する音声出力部６と、音声出力部６に接続されたスピーカ７と、電話やテレビなどの各種の必要な映像、情報などをそれぞれ表示する表示部８と、各種指令、情報等を入力する操作部９と、操作部９の操作によってしおりを付加したとき、そのしおりを記憶する第１の記憶部と無線送受信部２を介して他の装置よりしおりを受信したとき、そのしおりを記憶する第２の記憶部とを備えたメモリ１０と、これらを制御する制御部１１とを備えている。
【００２１】
そして、本発明の一実施の形態における携帯端末装置は、先ず、テレビ受信部１を用いてテレビ放送を任意に受信し、視聴できるように構成されている。操作部９を用いて、テレビモードにすると、その状態で制御部１１の制御の基で、テレビ受信部１が動作状態になり、操作部９で選択されたチャンネルのテレビ放送が受信可能な状態になる。受信されたテレビ放送の内容は、映像と音声にそれぞれ分離され、映像は表示部８に、音声は音声出力部６を介してスピーカ７にそれぞれ出力される。
【００２２】
また、操作部９を用いて、電話モードにすれば、その状態で電話や電子メール、インターネット通信が可能なように構成されている。なお、相手より電話呼出しがあった場合には、テレビモードであっても自動的に電話モードに切りかえられ、相手との電話が可能なように構成されている。
【００２３】
操作部９を用いて、電話モードにした場合には、操作部９を用いて相手の電話番号を入力したり、予め定めた操作キーを操作し、図示しない電話帳部より相手の電話番号を引き出したりして、これらの電話番号を一旦表示部８に表示し、その状態で予め定めた発信用の操作をすることにより、操作部９を用いて入力した電話番号や電話帳部より引出した電話番号をそれぞれ無線送受信部２を介して図示していない電話基地局に送信し発信することができる。そして、発信した電話に対して相手が応答すれば、無線送受信部２を介して相手との間で通話回路が形成され、マイク３、レシーバ４を用いて、音声入出力部５、無線送受信部２を介してそれぞれ相手との間で通話することができるようになる。
【００２４】
相手から電話呼出があり、それが無線送受信部２で受信された場合には、制御部１１の制御の基で、テレビモードであっても電話モードに自動的に切りかえられ、テレビの受信が一時中止され、音声出力部６よりスピーカ７に所定の呼出信号が出力され、スピーカより所定の呼出音が出力される。呼出音に応答して予め定めた所定の操作をすれば、その相手との間で通話することが可能になる。
【００２５】
電子メールの場合も同様に、送信する場合には、操作部９や表示部８を用いて、まず、電子メールしたい文章を作成し、それと共に相手の電子メールアドレスを電話帳部より引き出したり、操作部９を用いて入力したりして、これらを一旦表示部８に表示し、その状態で送信用の所定のキーを操作することにより、操作部９で入力した電子メールアドレスや電話帳部より引出した電子メールアドレスと共に操作部９を用いて作成した電子メールを無線送受信部２を介して電子メールプロバイダー（図示せず）に送信し、相手に送信することができる。
【００２６】
相手からの電子メールは、無線送受信部２が自動的に受信し、制御部１１の制御の基で、電子メール記憶部（図示せず）に自動的に記憶される。記憶された電子メールは、操作部９を用いて電子メール記憶部（図示せず）より任意に呼出すことができ、表示部１に表示することができる。
【００２７】
インターネットの場合には、操作部９を用いて、必要な操作を行い、相手のアドレスを指定すれば、そのアドレスの相手との間で通信が可能になり、双方で通信可能になる。
【００２８】
そして、テレビ受信中に好みの放送内容にしおりを付加し、それを無線送受信部２で他の装置に送信することが可能であり、他の装置よりしおりを受信した場合には、それを基にそのしおりに対応する放送番組を受信することが可能である。
【００２９】
以下、このことについて、更に詳細に説明する。
図２に示すように、操作部９を用いてテレビモードにし、テレビを受信している状態（Ｓ２０１）で、好みの放送内容、たとえば、友達などの他人にお勧めの放送番組が放送された場合、操作部９を用いて予め定めた所定の操作を行う。予め定めた所定の操作をすると、その時の放送時刻、チャンネルがしおりとして生成され（Ｓ２０２）、それがメモリ１０の第１の記憶部に記憶される（Ｓ２０３）。そして、その後、更に所定の操作を行うと、その記憶されたしおりが無線送受信部２を介して他の携帯端末装置に送信される（Ｓ２０４）。
【００３０】
なお、ここで、しおりの送信は、無線送受信部２を用いてそのまま送信しても良いが、電子メールなどで添付ファイルとして送信するようにしても良い。いずれにしても、操作部９を用いて送信相手を指定し、その後、発信操作することによって送信するように構成することが望ましい。
【００３１】
しおりが他の携帯端末装置に送信されると（Ｓ２０４）、他の携帯端末装置では、無線送受信部２でそのしおりを受信し（Ｓ２０５）、制御部１１の制御の基で、受信したしおりをメモリ１０の第２の記憶部に記憶する（Ｓ２０６）。そして、その後、自動的に、或いは、操作部９の所定の操作により、記憶部より記憶されたしおりが読み出され、そのしおりに対応するテレビ放送がテレビ受信部１で受信されるように制御部１１が制御する。その結果、記憶されたしおりに対応するお勧めの放送内容が、テレビ受信部１によって受信可能になり、それを表示部８、スピーカ７を用いて視聴可能になる（Ｓ２０７）。
【００３２】
このように、本実施の形態によれば、テレビ受信部１でテレビ放送を受信している間に、お勧めの放送内容などがあった場合、その時点で操作部９を用いて所定の操作をすれば、その時点でその放送内容の放送時刻、チャンネルなどがしおりとして生成され、メモリ１０に記憶されるため、そのしおりを友達などが所有する同じ携帯端末装置に送信することにより、友達などの携帯端末装置で、そのしおりを基に、そのしおりに対応する上記お勧めの放送内容などを受信することができる。
【００３３】
また、本実施の形態では、しおりを、しおり受信機能を有するテレビ受信記録再生装置にも送信可能なように構成されており、したがって、そのしおりを基にテレビ放送を受信し、記録再生したり、予め記録したテレビ番組の中から、受信したしおりに対応する番組を選択して再生したりすることができる。
【００３４】
図３は、このように、しおりを、しおり受信機能を有するテレビ受信記録再生装置に送信し、テレビ受信記録再生装置において、受信したしおりに対応するテレビ番組を再生する場合の具体的な動作を表すフローチャートである。
【００３５】
図３に示すように、メモリ１０に記憶されたしおり（第１の記憶部、第２の記憶部のいずれに記憶されたしおりでもよい）は、操作部９の操作によって、近距離送信部１２を介して、しおり受信機能を有するテレビ受信記録再生装置に送信される（Ｓ３０１）。しおりがテレビ受信記録再生装置に送信されると、テレビ受信記録再生装置では、そのしおりを受信し（Ｓ３０３）、しおりを受信する前に既に受信記録しておいた（Ｓ３０２）テレビ番組の中から、受信したしおりを基に、しおりに対応するテレビ番組を自動的に、或いは、何らかの操作のもとで再生し、視聴できる状態にする（Ｓ３０４）。
【００３６】
したがって、本実施の形態によれば、受信した放送番組が好みのものであれば、それにしおりを付け、しおり受信機能を有するテレビ受信記録再生装置に送信し、テレビ受信記録再生装置において、そのしおりに対応するテレビ番組を再生し、視聴することができ、また、友人などから送信され受信されたしおりであっても、そのしおりを基に、そのしおりに対応するテレビ番組を再生し、視聴することができ、お勧めの番組などをしおりとして友人に知らせてあげることにより、友人において、それを基にしおり受信機能を有するテレビ受信記録再生装置を用いてそのお勧めの番組を任意に視聴することができるという作用を有する。ここではしおりを受信したテレビ受信記録再生装置においてお勧めの番組を任意に視聴する例を挙げたが、受信したしおりを元にテレビ受信記録再生装置においてお勧めの番組を記録することが可能なことはいうまでもない。
【００３７】
なお、本実施の形態では、放送時間とチャンネルをしおりとして生成し、記憶するようにしているが、これに加えて、曜日、嗜好、コメントなどをそれぞれ任意にしおりとして記憶できるように構成した方が望ましい。例えば、曜日をしおりとして記憶した場合には、放送番組が曜日毎に設定されていることが多いことから、より正確にお好みの放送内容を他人に知らせることができる。また、嗜好、コメントなどをしおりに追加し、友達などに送信するようにした場合には、友達などにおいて、その嗜好、コメントなどを基に更に好みの放送内容を選択することができ、より有効に活用することができる。
【００３８】
また、本実施の形態では、テレビ受信中に電話がかかってくると、自動的にテレビ受信モードから電話モードに切り替えられ、電話のみが可能になるように構成しているが、テレビ受信モードをそのままにして、その状態で電話ができるように構成しても良い。そして、このことは、相手に対し電話発信する場合も同様であり、テレビ受信のまま、相手に発信できるように構成しても良い。
【００３９】
また、本実施の形態では、しおりを、しおり受信機能を有するテレビ受信記録再生装置に送信する場合、近距離送信部を用いているが、無線送受信部２を用いても良い。要するに送信でき、受信できれば良いことは言うまでもないことである。
【産業上の利用可能性】
【００４０】
本発明は、外出先でもテレビ放送が受信でき、受信した放送内容の中にお勧めの放送内容、シーンなどがあれば、それを他人に容易に知らせてあげることができ、他人より知らせがあれば、その放送内容を容易に視聴できるという効果を有し、テレビ放送を受信可能な携帯端末装置等に有用である。
【図面の簡単な説明】
【００４１】
【図１】本発明の一実施の形態における携帯端末装置の構成を示す概略ブロック図
【図２】本発明の一実施の形態における携帯端末装置の動作を示す第１のフローチャート
【図３】本発明の一実施の形態における携帯端末装置の動作を示す第２のフローチャート
【符号の説明】
【００４２】
１  テレビ受信部
２  無線送受信部
３  マイク
４  レシーバ
５  音声入出力部
６  音声出力部
７  スピーカ
８  表示部
９  操作部
１０  メモリ
１１  制御部
１２  近距離送信部
【図１】
2005184182.tif 000003
【図２】
2005184182.tif 000004
【図３】
2005184182.tif 000005